(57)【要約】      （修正有）【課題】患者が興味を引く文言で音声報知して、薬を服用するという動機付けを行い、薬の飲み忘れを防止するようにした服薬管理装置を提供する。【解決手段】容器本体１に、１回に服用する薬を収納可能な薬箱２が複数個設けられており、服薬時間の設定および時間表示が可能な時計部と、音声の録音と再生が可能で音声および表示灯で服薬報知および薬飲み忘れ報知を行う報知部と、時間設定および音声設定を行う操作部と、前記薬箱の出し入れを感知するセンサおよび制御部より構成されている。服薬設定時間になると、服薬を促すための音声報知および服薬対象となる薬箱２に対応して設けられた表示灯５が点滅し、当該表示灯５が点滅している薬箱２を引き出すか報知停止スイッチ１６を押すまでは点滅が継続される。【選択図】図１
0003171265.tif 000002
【実用新案登録請求の範囲】
【請求項１】
１回に服用する薬を収納可能な薬箱が複数個設けられた容器本体と、
服薬時間の設定および時間表示が可能な時計部と、
音声の録音と再生が可能であり、音声および表示灯で、服薬報知および薬飲み忘れ報知を行う報知部と、
時間設定および音声設定を行なう操作部と、
前記薬箱の薬の出し入れを感知するセンサと、
前記時計部、報知部、操作部およびセンサを制御する制御部より構成されており、
服薬設定時間になると、服薬を促すための音声報知および服薬対象となる薬箱に設けられた表示灯が点灯し、当該表示灯が点灯している薬箱を引き出すか報知停止スイッチを押すまでは、前記報知および表示灯の点灯が継続されることを特徴とする服薬管理装置。
【請求項２】
前記容器本体は直方体であり、１日当たり最大４回服用が可能で、最大１４日分の薬が収納できる５６個の薬箱が、容器本体から引き出しおよび取り出し可能に設けられていることを特徴とする請求項１に記載の服薬管理装置。
【請求項３】
前記容器本体は直方体であり、１４個の独立した薬箱が設けられており、当該薬箱の表面には、薬を出し入れする開閉自在な蓋が設けられていることを特徴とする請求項１に記載の服薬管理装置。
【請求項４】
前記容器本体は多角形であり、７個の独立した薬箱が設けられており、当該薬箱の側面には、薬を出し入れする開閉自在な蓋が設けられていることを特徴とする請求項１に記載の服薬管理装置。
【請求項５】
前記容器本体は円形であり、７個の独立した薬箱が設けられており、当該薬箱の表面には、薬を出し入れする開閉自在な蓋が設けられていることを特徴とする請求項１に記載の服薬管理装置。
【請求項６】
前記センサは、リミットスイッチであり、前記薬箱が容器本体から引き出しまたは取り出しされた後、元に戻すか、あるいは、薬箱の蓋が開閉されたときに、それを検知することを特徴とする請求項１〜５のいずれかに記載の服薬管理装置。
【請求項７】
前記容器本体または薬箱には、視覚障害者のための点字表示または突起が設けられていることを特徴とする請求項１〜６いずれかに記載の服薬管理装置。
【考案の詳細な説明】
【技術分野】
【０００１】
本考案は、病院や薬局で処方された処方薬を処方箋で指定された方法で適正に服薬で
きるように支援して、患者の薬の飲み忘れを防止するようにした服薬管理装置に関するものである。
【背景技術】
【０００２】
高齢化が急速に進行している現代社会では、自宅療養中の人、病院等の医療機関および老人介護施設で介護を受けている患者（以下、被看護者という）が年々増加している。これら被看護者は、病院等の医療機関から処方された薬を処方された方法で服用しなければならないが、自宅療養や介護施設等における生活において時間の感覚が失われ、ときには朝、昼、夜という時間感覚が低下して食事や服薬等の時間が判らなくなる。このため、処方時間での服薬の自主管理は困難であり、被看護者および看護者にとって、服薬にかかわる時間管理は非常に大きな負担となっている。
【０００３】
これを解決するために、様々な薬管理装置が提案されている。例えば、タイマーで服薬の基本時刻を設定し、薬収納部には該当収納部の薬が服薬時間になったことを示す照明ランプが点灯して、服薬時間になった収納部内部を認識できるようにし、また、服薬時間になったことを音声で通知するスピーカが内蔵されて、音での服薬の通知も可能である服薬時間管理装置が開示されている（特許文献１参照。）。
【０００４】
また、服薬確認薬箱に電子時計の設定時刻に電波を発信する発信部と、受信部は着信の表示部を有する表示装置とを組み合わせて、発信部は受信部への電波を発信し、表示装置は、受信部が発信部から着信すると、表示部に着信の表示を発現させる機能を有する服薬確認装置が開示されている（特許文献２参照。）。
【０００５】
また、装置本体に設けられて設定スケジュールの実行該当日時に到達したとき、または実行該当日時の数時間前あるいは数日前の実行予定日時になったときに、音声や表示ランプ等の認識信号で報知すると共に該当スケジュールの内容を文字で表示するスケジュール管理装置が開示されている（特許文献３参照。）。
【先行技術文献】
【特許文献】
【０００６】
【特許文献１】特開２０１１−３１００６号公報
【特許文献２】特開２０１１−４１６６３号公報
【特許文献３】特開２００５−２５１１２９号公報
【考案の開示】
【考案が解決しようとする課題】
【０００７】
特許文献１および３の装置は、表示灯および音声報知機能を有しているが、音声は予め録音されている文言が報知されるものであり、被看護者の興味を引くものではなかった。また、特許文献２の服薬確認装置も、アラーム音を発信するだけのものであり、患者の興味を引くもものではなく、薬を服用するという動機付けには不十分であった。本考案は、これらの問題点を解決するためになされたもので、患者が興味を引く文言で音声報知して、薬を服用するという動機付けを行い、薬の飲み忘れを防止するようにした服薬管理装置を提供することを目的としている。
【課題を解決するための手段】
【０００８】
本考案の請求項１に係る服薬管理装置は、容器本体に、１回に服用する薬を収納可能な薬箱が複数個設けられており、服薬時間の設定および時間表示が可能な時計部と、音声の録音と再生が可能であり音声および表示灯で服薬報知および薬飲み忘れ報知を行う報知部と、時間設定および音声設定を行う操作部と、前記薬箱の出し入れを感知するセンサと、これらを制御する制御部より構成されている。
【０００９】
服薬設定時間になると、服薬を促すための音声報知および服薬対象となる薬箱に対応して設けられた表示灯が点滅または点灯（以下、点灯を含めて点滅という）し、当該表示灯が点滅している薬箱を引き出した後、元に戻すか報知停止スイッチを押すまでは、前記報知および表示灯の点滅が継続される。これにより、被看護者は、音声で服薬の動機付けがなされ、服用すべき薬箱を表示灯で知ることができるので、薬の飲み忘れを防止することができる。
【００１０】
本考案の請求項２に係る服薬管理装置は、１日当たり最大４回服用が可能で、最大１４日分の薬が収納できる５６個の薬箱が設けられている。通常、慢性疾患に対する薬は、２週間〜４週間分を処方され、１日当たりの服用回数も１〜４回である。したがって、殆どの被看護者は、本服薬管理装置を用いて処方薬を管理することができる。また、薬箱は、容器本体から引き出しおよび取り出しが可能であり、処方薬の収納または取り出しの際、被看護者または看護者の好みにより、薬箱を引き出すか、取り出すかを選択できるので、利便性に優れた服薬管理装置となっている。
【００１１】
本考案の請求項３〜５に係る服薬管理装置は、容器本体が直方体、多角形または円形に形成されている。当該容器本体には１４個または７個の独立した薬箱が設けられており、当該薬箱の表面または側面には、薬を出し入れする開閉自在な蓋が設けられている。この容器本体は軽量且つ小型であるため、建物内または外出時の携帯性に優れている。
【００１２】
本考案の請求項６に係る服薬管理装置は、薬箱が容器本体から引き出しまたは取り出しされた後、元に戻すと、その薬箱の移動を検知するリミットスイッチが設けられている。これにより、薬が薬箱から取り出されたかどうかを検知することができる。また、薬箱から薬を取り出していない場合は、表示灯が点灯して被看護者に服薬を促すため、薬の飲み忘れを防止することができる。
【００１３】
本考案の請求項７に係る服薬管理装置は、視覚障害者のための点字表示または突起が、容器本体または薬箱に設けられている。前記点字または突起が併設される位置は、例えば、服薬日の１日目から１４日目を示す１から１４の数字、服薬時刻を示す朝・昼・夜・寝前の文字、録音・リセットボタン、薬飲み忘れチェック用の押しボタンスイッチ、電源スイッチ等である。これにより、視覚障害者も本服薬管理装置を使用することができるので、利用者の範囲を拡大することができる。
【考案の効果】
【００１４】
本考案の服薬管理装置を用いれば、被看護者は、音声で服薬の動機付けがなされ、音声および表示灯で、服薬報知および薬飲み忘れ報知が行なわれ、薬が薬箱から取り出されたかどうかを検知できるので、薬の飲み忘れを防止することができる。また、これらの容器本体は、軽量且つ小型であるため、建物内または外出時の携帯性に優れている。
【図面の簡単な説明】
【００１５】
【図１】本考案の第一実施形態の服薬管理装置を示す斜視図である。
【図２】本考案の第一実施形態の薬箱を示す斜視図である。
【図３】本考案の第一実施形態の服薬管理装置のブロック図である。
【図４】本考案の第二実施形態の服薬管理装置を示す斜視図である。
【図５】本考案の第二実施形態の服薬管理装置のブロック図である。
【図６】本考案の第三実施形態の服薬管理装置を示す斜視図である。
【図７】本考案の第四実施形態の服薬管理装置を示す斜視図である。
【考案を実施するための形態】
【００１６】
（第一実施形態）
以下、本考案の実施形態について、図面に基づき詳細に説明する。また、各実施形態において同一部材は同一符号で表示している。図１において、本考案の服薬管理装置の容器本体１および薬箱２の主要部は、合成樹脂で形成されている。容器本体１は横長の直方体であり、容器本体１の正面側に５６個（横に１４個、縦に４個）の薬箱２が、容器本体１から引き出しおよび取り外し自在に挿着されている。また、最上部に挿着されている各薬箱２の上部の容器本体部には、服薬日の１日目から１４日目を示す１から１４の数字が右側から順次記載されており、最右部に挿着されている各薬箱２の側部の容器本体部には、服薬時刻を示す朝、昼、夜、寝前の文字が上から順次記載されている。なお、当該容器本体１を縦長の直方体に形成すること、薬箱２の数を変更（例えば、２８個（横に７個、縦に４個）など）することも可能である。
【００１７】
また、前記各薬箱２の上部の容器本体部には、表示灯（ＬＥＤ）が設けられており、服薬時刻になると、その時刻に服薬する薬を収納している薬箱２の上部に設けられている表示灯５が点滅する。また、容器本体１から薬箱２を引き出しまたは取り外した後、元に戻すと薬箱２の移動をセンサ３が検知して、当該表示灯５が消灯するように形成されている。なお、表示灯５を点滅または点灯させることは任意に設計することができる（以下、各実施形態についても同様である。）。
【００１８】
容器本体１の正面の右側には、予め録音または再録音された音声を報知するスピーカ１４、服薬時刻が到来したことを報知する文言を音声入力するマイク１５、現在時刻を表示するデジタル時計１１、時刻合わせをする時間設定ボタン１２、録音ボタン１７、時間設定と報知を切替えるＭＯＤＥ切替スイッチ１３、報知・リセットボタン１６、薬飲み忘れチェック用の押しボタン６、電源のＯＮ／ＯＦＦを表示する電源灯１９がそれぞれ設けられている。
【００１９】
容器本体の底面には、図示していないが、電池（乾電池または充電電池）を収納する凹部が設けられている。本考案の服薬管理装置は、電池またはＡＣアダプターの２電源方式としている。また、ＡＣアダプターを使用するときには、ＡＣアダプターを優先使用するように設計することも可能である。
【００２０】
デジタル時計１１は、時間と分が表示されており、時間調整ボタンＨと分調整ボタンＭが当該時計１１の下部に設けられている。ＭＯＤＥ切替スイッチ１３は、時間設定と録音を切替えるもので、時間設定側に合わせるとデジタル時計１１の現在時刻調整または服薬時刻設定ができ、録音側に合わせると服薬時刻に報知する文言を録音することができる。
【００２１】
前記文言は複数（例えば、８件）録音することができ、１件当たりの録音時間は２０秒程度である。文言は、被看護者が興味を示すように、被看護者の名前や愛称を含んだもの（例えば、○○さん薬の時間ですよ、○○ちゃん朝食後の薬を飲みましょう、など）を録音することができる。また、録音者は家族、親族、友人、その他看護者の何れでもよい。
【００２２】
報知・リセットボタン１６は、設定された報知時刻に服薬を促す音声報知がなされると同時に点滅状態が継続し、被看護者に服薬することを気付かせる。被看護者や看護者が、点滅中の報知・リセットボタン１６を押すと音声が再生される。また、再生中に当該報知・リセットボタン１６を押すと、音声がリセットされて消灯する。
【００２３】
薬飲み忘れチェック用の押しボタンスイッチ６は、被看護者、家族、医療機関職員、ヘルパー等の看護者が、「被看護者の薬飲み忘れ」をチェックするものであって、当該押しボタンスイッチ６を押すと、その時点までの飲み忘れ薬箱２の上部に設置された表示灯５が点灯すると同時に、飲み忘れが音声報知（例えば、薬の飲み忘れがあります、○件の薬の飲み忘れがあります、など）されるので、看護者は飲み忘れ分を容易に確認することができる。これにより、被看護者または看護者は、被看護者が適切に薬を飲んだか否かをチェックすることができる。
【００２４】
図２は、容器本体から薬箱を引き出した状態を示す斜視図である。図２において、薬箱２は上面が開放された長方体であり、前面に容器本体１から引き出しまたは取り外しするための把手９が設けられている。容器本体１の背面内側と薬箱２の背面外側の間には、センサ（リミットスイッチ）３が配置されており、当該センサ３の接点と薬箱２の背面外側の離間または接触により作動し、接触したときに表示灯５が消灯する。
【００２５】
図３に基づいて本考案の服薬管理装置の作用を説明する。１１はデジタル時計、２７は制御部（マイコン）、２８は音声チップ、２９は音声増幅器、１４はスピーカ、ＤＢはデータバス、５は薬箱の表示灯である。
【００２６】
（メッセージの入力）
「７：３０」に朝食後の服薬を促すメッセージとして、「○○ちゃん、朝食後の薬を飲みましょう」を録音する方法について説明する。ＭＯＤＥスイッチ１３をセット側に切替ると、デジタル表示の時計１１の時間が点滅するので、時間調整ボタンＨを回数押して７を表示させる。次に分調整ボタンＭを押すと分が点滅するので、分調整ボタンＭを回数押して３０を表示させた後、ＭＯＤＥスイッチ１３を押すと７：３０がセットされる。
【００２７】
録音ボタン１７を押して、マイク１５に向かって「○○ちゃん、朝食後の薬を飲みましょう」と発声した後、録音ボタン１７を離すと当該メッセージの録音が終了する。メッセージ入力終了後は、ＭＯＤＥスイッチ１３を報知側に切替える。
【００２８】
（メッセージの報知）
デジタル時計１１の表示が７：３０になると、スピーカ１４から「○○ちゃん、朝食後の薬を飲みましょう」と報知される。この報知回数は１〜３回を選択することができる。スピーカ１４からメッセージが報知されると同時に、薬箱上部の表示灯５および報知・リセットボタン１６が点滅して、報知があったことを被看護者に認識させる。したがって、被看護者が当該メッセージを聞き逃した場合でも、点滅している報知・リセットボタン１６を押すと当該メッセージを再生することができ、その再生中に当該報知・リセットボタン１６を押すとメッセージの音声報知が終了する。
【００２９】
（メッセージの再入力）
「７：３０」に朝食後の服薬を促すメッセージとして、「○○さん、朝食後の薬は飲みましたか」を再入力する場合を例として説明する。ＭＯＤＥスイッチ１３をセット側に切替ると、デジタル時計１１の時間が点滅するので、時間調整ボタンＨを回数押して７を表示させる。次に分調整ボタンＭを押すと分が点滅するので、分調整ボタンＭを回数押して３０を表示させた後、ＭＯＤＥスイッチ１３を押すと７：３０がセットされる。次に、録音ボタン１７を押して、マイク１５に向かって「○○さん、朝食後の薬は飲みましたか」と発声した後、録音ボタン１７を離すと当該メッセージが上書録音される。メッセージ入力終了後は、ＭＯＤＥスイッチ１３を報知側に切替る。
【００３０】
（第二実施形態）
図４において、容器本体１ａは横長の直方体であり、容器本体１ａには、表面側に開閉自在の蓋７ａが設けられた１４個（横に７個、縦に２個）の薬箱２ａが設けられている。また、服薬時刻になると、その時刻に服薬する薬を収納している薬箱２ａの上部に設けられている表示灯５ａが点滅する。薬箱２ａに設けられた蓋７ａを開閉すると、蓋７ａの動きをセンサ（図示しない）が検知して、当該表示灯５ａが消灯するように形成されている。また、薬箱２ａの数を１週間用（７個）、３週間用（２１個）、または４週間用（２８個）に変更することも可能である。
【００３１】
容器本体１ａの表面の上部側には、予め録音または再録音された音声を報知するスピーカ１４、報知・リセットボタン１６、操作パネル８が設けられている。また、容器本体１ａの側面には、ＡＣアダプター入力端子２２、電源のＯＮ／ＯＦＦを表示するする電源灯１９がそれぞれ設けられている。容器本体１ａの裏面には、図示していない電池（乾電池または充電電池）を収納する凹部が設けられている。本考案の服薬管理装置は、電池またはＡＣアダプターの２電源方式としている。なお、ＡＣアダプターを使用するときに、ＡＣアダプターを優先使用するように設計することも可能である。
【００３２】
図５は、本考案の第二実施形態の服薬管理装置のブロック図である。１１はデジタル時計、２７は制御部（マイコン）、２８は音声チップ、２９は音声増幅器、１４はスピーカ、ＤＢはデータバス、５ａは薬箱の表示灯、１９は電源灯、８は操作パネルである。この
操作パネル８には、服薬時刻が到来したことを報知する文言を音声入力するマイク、現在時刻を表示するデジタル時計、時刻合わせをする時計時分調整ボタン、時間設定ボタン、録音ボタン、時間設定と録音を切替えるＭＯＤＥ切替スイッチ、薬飲み忘れチェック用の押しボタンスイッチが設けられているが、これらの機能および作用については、第一実施形態と同一であるため、詳細説明は省略する。なお、前記操作パネル８に設けられた機能の一部（例えば、音声録音機能）を省略した簡易版とすることもできる。
【００３３】
（第三実施形態）
図６において、容器本体１ｂは内部に７個の薬箱２ｂを有する七角形であり、容器本体１ｂの側面には、薬を出し入れする開閉自在の蓋７ｂが設けられている。また、容器本体１ｂの表面には、各薬箱２ｂに対応した位置に表示灯５ｂが設けられており、服薬時刻になると、その時刻に服薬する薬を収納している薬箱２ｂの上部に設けられている表示灯５ｂが点滅する。薬箱２ｂに設けられた蓋７ｂを開閉すると、蓋７ｂの移動をセンサ（図示しない）が検知して、当該表示灯５ｂが消灯するように形成されている。この表示灯５ｂを点滅または点灯させることは任意に設計することができる。また、薬箱の数を任意に変更することも可能である。
【００３４】
容器本体１ｂの表面の中心部には、予め録音または再録音された音声を報知するスピーカ１４、報知・リセットボタン１６、操作パネル８が設けられている。また、容器本体１ｂの側面には、ＡＣアダプター入力端子２２、電源のＯＮ／ＯＦＦを表示する電源灯１９がそれぞれ設けられている。なお、電池収納部および操作パネルの構造と作用については前記第二実施形態と同一であるため、詳細説明は省略する。
【００３５】
（第四実施形態）
図７において、容器本体１ｃは内部に７個の薬箱２ｃを有する円形であり、容器本体１ｃの表面には、薬を出し入れする開閉自在の蓋７ｃが設けられている。また、容器本体１ｃの表面には、各薬箱２ｃに対応した位置に表示灯５ｃが設けられており、服薬時刻になると、その時刻に服薬する薬を収納している薬箱２ｃの上部に設けられている表示灯５ｃが点滅する。薬箱２ｃに設けられた蓋７ｃを開閉すると、蓋７ｃの開閉をセンサ（図示しない）が検知して、当該表示灯５ｃが消灯するように形成されている。また、薬箱の数を任意に変更することも可能である。
【００３６】
容器本体１ｃの表面の中心部には、予め録音または再録音された音声を報知するスピーカ１４、報知・リセットボタン１６、操作パネル８が設けられている。また、容器本体１ｃの側面には、ＡＣアダプター入力端子、電源のＯＮ／ＯＦＦを表示電源灯１９がそれぞれ設けられている。なお、電池収納部および操作パネルの構造と作用については前記第二実施形態と同一であるため、詳細説明は省略する。
【００３７】
なお、本考案は前記各実施形態そのままに限定されるものではなく、実施段階ではその
要旨を逸脱しない範囲において構成要素を変形して具体化することができる。また、前記各実施形態に記述されている複数の構成要素の適宜な組合せにより、種々の考案を形成できる。例えば、実施形態に示される全構成要素から幾つかの構成要素を削除してもよく、異なる実施形態に亘る構成要素を組み合わせてもよい。
【符号の説明】
【００３８】
１，１ａ、１ｂ、１ｃ  容器本体、  ２、２ａ、２ｂ、２ｃ  薬箱
３  センサ（リミットスイッチ）、  ５，５ａ，５ｂ，５ｃ  薬箱の表示灯
６  薬飲み忘れチェック用押しボタン、  ７ａ、７ｂ、７ｃ  蓋、  ８  操作パネル
１１  デジタル時計、  １２  時間設定ボタン、  １３  ＭＯＤＥスイッチ
１４  スピーカ、  １５  マイク、  １６  報知・リセットボタン
１７  録音ボタン、  １８  ＰＬＡＹボタン、  １９  電源ランプ
２２  ＡＣアダプター入力端子、  ２５  電池、  ２６  ＡＣアダプター
２７  制御部（マイコン）、  ２８  音声チップ、  ２９  音声増幅器
ＤＢ  データバス、  Ｈ  時間ボタン、  Ｍ  分ボタン
【図１】
0003171265.tif 000003
【図２】
0003171265.tif 000004
【図３】
0003171265.tif 000005
【図４】
0003171265.tif 000006
【図５】
0003171265.tif 000007
【図６】
0003171265.tif 000008
【図７】
0003171265.tif 000009